(57)【特許請求の範囲】
【請求項１】
空気調和装置のファン室の構造であって、
該ファン室の枠体の上部には防振部材を介してファンモータ基盤を設け、
該ファンモータ基盤にファン駆動モータとファンユニットを吊り下げるように取り付け、
前記枠体とファンモータ基盤との隙間には気密部材を設け、
該気密部材として該隙間を覆うように柔軟材質からなるバイパス防止板を設け、
前記バイパス防止板とファンモータ基盤との接合面は接着固定され、該バイパス防止板と前記枠体との接合面は接圧するだけで非接着状態とした
ことを特徴とする空気調和装置のファン室の構造。
【請求項２】
前記バイパス防止板の内側には硬質材質の当て板を非接着状態で接圧させ、該当て板はバイパス防止板が変形しないように、且つ、ファンモータ基盤に接触しないように前記ファン室の枠体に固定したことを特徴とする請求項１に記載の空気調和装置のファン室の構造。
【請求項３】
前記バイパス防止板の内側と前記当て板との間には、保護用パッキンを介在させたことを特徴とする請求項２に記載の空気調和装置のファン室の構造。
【請求項４】
前記バイパス防止板のファンモータ基盤と接合面の位置は、枠体との接合面の位置よりも内側に配置し、該ファンモータ基盤の外周に前記バイパス防止板が下方に広がるスカート状に設けることを特徴とする請求項１乃至３の記載から選択される空気調和装置のファン室の構造。
【発明の詳細な説明】
【技術分野】
【０００１】
本発明は、空気調和機のファン室構造、特に、ファン室の防振構造、及び、気密構造の技術分野に属する。
【背景技術】
【０００２】
従来より、空気調和機のファン室にはファンモータユニットが設置されている。このファンモータの振動をファン室の枠体に伝えないために、特許文献１、特許文献２等に示されるように、ファンモータを載置した上部架台にはバネやゴム等の吸振体を有する防振装置（振動絶縁機構）が設けられている。
例えば、従来の空気調和機では、図５に示すように、ファン室ａではコイル空調室ｂからの空気調和された空気を、モータユニットｃに駆動される一対のファンユニットｄによって、給気室ｅに供給する。
前記のモータユニットｃに駆動されるファンユニットｄは、振動を発生することから騒音の原因になる。そのため、ファン室ａの振動を空調機全体の枠体から遮断しなければならないが、通常、ファン室ａの床にファン架台ｆ上に吸振部材ｇを介して設けられた防振架台ｈに載置されている。
【０００３】
この際にファン室ａのファン架台ｆと給気室ｅとが固定されているが、モータユニットｃ、ファンユニットｄ、防振架台ｈは振動しているので、ファンユニットｄと給気室ｅとの間は、ファン室aの室内の空気(Air.Ａ)がファンによって吸引されるため負圧になる。このことから、ファン室aと給気室ｅとの間に隙間があると、給気室ｅから空気(Air.Ａ)を吸い込んでしまい、コイル空調室ｂを通過せずにバイパスを形成して効率が低下するので、ファン室aと給気室ｅとを気密に維持するように、気密性があり柔軟性のあるキャンバスiで塞ぐようにしている。
【先行技術文献】
【特許文献】
【０００４】
【特許文献１】特開２００７−１３９４１４号公報
【特許文献２】特開２００９−９２０３４号公報
【発明の開示】
【発明が解決しようとする課題】
【０００５】
ところで、図５に示す従来のファン室の構造は、ファン室aと給気室ｅとの間を振動を伝えずに気密にするために、キャンバスiを取り付けるには手間暇がかかるという問題があり、また、上述したように、モータユニットｃやファンユニットｄを備え付けるために、ファン架台ｆ上に吸振部材ｇを介して設けられた防振架台ｈに載置しなければならないため、このためのファン室aの天井までの高さがかなり必要となり、ファン室aが大型になってしまうという問題があった。
本発明は、上記の問題点に鑑みてなされたもので、ファン室と給気室のキャンバスを不用にし、振動の伝達を遮断して騒音を低減し、ファン室の高さをより低くすることが可能な空気調和機のファン室構造を提供することにある。
【課題を解決するための手段】
【０００６】
上記課題を解決するために、請求項１の発明は、空気調和装置のファン室の構造であって、該ファン室の枠体の上部には防振部材を介してファンモータ基盤を設け、該ファンモータ基盤にファン駆動モータとファンユニットを吊り下げるように取り付け、前記枠体とファンモータ基盤との隙間には気密部材を設け、該気密部材として該隙間を覆うように柔軟材質からなるバイパス防止板を設け、 前記バイパス防止板とファンモータ基盤との接合面は接着固定され、該バイパス防止板と前記枠体との接合面は接圧するだけで非接着状態としたことを特徴とする。
請求項２の発明は、請求項１に記載の空気調和装置のファン室の構造において、前記バイパス防止板の内側には硬質材質の当て板を非接着状態で接圧させ、該当て板はバイパス防止板が変形しないように、且つ、ファンモータ基盤に接触しないように前記ファン室の枠体に固定したことを特徴とする。
請求項３の発明は、請求項２に記載の空気調和装置のファン室の構造であって、前記バイパス防止板の内側と前記当て板との間には、保護用パッキンを介在させたことを特徴とする。
請求項４の発明は、請求項１乃至３の記載から選択される空気調和装置のファン室の構造であって、前記バイパス防止板のファンモータ基盤と接合面の位置は、枠体との接合面の位置よりも内側に配置し、該ファンモータ基盤の外周に前記バイパス防止板が下方に広がるスカート状に設けることを特徴とする。
【発明の効果】
【０００７】
以上のように、請求項１の空気調和装置のファン室の構造の発明によれば、ファン室のファン室枠体の上部にファンモータ基盤を設けて、ファン駆動モータとファンユニットを吊り下げるように取り付けたので、ファン架台が不用になり、従来のファン室の高さよりも低くすることが可能となり、また、ファン室枠体とファンモータ基盤との外周隙間に気密部材として柔軟材質のバイパス防止板を設けるようにしたので、振動の伝達を遮断できることに加えて、 従来の気密維持のキャンバスが不要となる。
更に、バイパス防止板のファンモータ基盤と接合面は接着し、枠体との接合面は非接着状態としたことから設置が極めて容易となり、振動も完全に遮断でき、加えて、ファン室が負圧となるのでバイパス防止板がファン室内部に吸い寄せられ、枠体との接合面は非接着状態でも完全に気密となる。
請求項２の空気調和装置のファン室の構造の発明によれば、バイパス防止板がゴムなどの柔軟材質であるので、金属等の硬質材料の当て板をバイパス防止板の内側に設けたので、ファン室の負圧によるバイパス防止板の変形を防止できる。
請求項３の空気調和装置のファン室の構造の発明によれば、請求項２の発明の効果に加えて、バイパス防止板の変形を防ぐとともに、バイパス防止板と当て板との摩耗を防止することができる。
請求項４の空気調和装置のファン室の構造の発明によれば、請求項１乃至３の発明の効果に加えて、バイパス防止板のファンモータ基盤と接合面の位置が枠体との接合面の位置よりも内側に配置したので、確実に枠体との接合面とが非接着状態でも密着し、ファン室と給気室とが完全に気密にした状態となる。
【図面の簡単な説明】
【０００８】
【図１】本発明の実施例１の空気調和装置のファン室の構造の全体の概略を示す正面図、
【図２】図１の側面図、
【図３】図１の防振部材と気密部材の拡大部分断面、
【図４】本発明の実施例２の気密部材の拡大部分断面、
【図５】従来の空気調和装置のファン室の構造の説明図である。
【発明を実施するための形態】
【０００９】
本発明の空気調和装置のファン室の構造の実施例を図面に沿って説明する。
【実施例１】
【００１０】
図１は空気調和装置Ａのファン室１と給気室の概略を示す実施例１の正面図であり図２はその側面図で、ファン室１では、熱交換器や加湿器等が配備されるコイル空調室７からの空気調和された空気を、ファン室１内の配備されるモータユニット３とそれによって駆動される一対のファンユニット４によって給気室８に供給している。
ファン室１のファン室枠体１１の上部の天井部分には防振部材５を介してファンモータ基盤１２が設けられ、このファンモータ基盤１２のほぼ中央部にはモータユニット３が吊り下げられるように固定され、このモータユニット３は両端に駆動軸３１が張りだした駆動モータ３２が設けられ、両端に駆動軸３１にはそれぞれプラグファン等のファンユニット４がファンモータ基盤１２に吊り下げられるように設けられている。
【００１１】
ファン室１のファンモータ基盤１２の上面の空気ダンパ室８１は給気室８の一部を形成するが、ファンモータ基盤１２のファンユニット４の天井に位置する部分には、給気室８の空気ダンパ室８１に連通する大きな給気開口１３が設けられ、ファンユニット４からの空気を空気ダンパ室８１及び給気ダクト８２に送風するように構成されている。本実施例１のファンユニット４はプラグファンのファンランナーを組み込んだもので、左右一対に配備されている。
ファンモータ基盤１２とファン室枠体１１のファンモータ基盤受け枠１１１の上面1111との間の適所には、複数の防振部材５を配置するが、防振部材５自体は図３に示すように公知の構成で、バネ５１やゴム５２等の吸振体を有する防振機構（振動絶縁機構）が設けられ、モータユニット３やファンユニット４で生じるファンモータ基盤１２の振動をファン室枠体１１に伝達しないような構成で、振動を効果的に遮断するようにしている。
【００１２】
次に、本発明の特徴部分であるファンモータ基盤１２とファン室枠体１１(ファンモータ基盤受け枠111）との隙間を覆う気密部材６について説明する。
この気密部材６は、主に、バイパス防止板６１(リーク防止のパッキンシート)と保護パッキン６２と当て板６３とから構成される。
バイパス防止板６１はゴム板等の振動を吸収して伝達しない柔軟材質を用い、ファン室枠体１１(ファンモータ基盤受け枠111）とファンモータ基盤１２との外周の隙間を覆うように配置し、バイパス防止板６１の上端面６１１はファンモータ基盤１２の側面下部１２２に接着剤１２３で貼り付け、バイパス防止板６１の下端面６１２はファン室枠体１１に設けたファンモータ基盤受け枠１１１の側面上部1112に非接着状態で接触している。この際、ファンユニット４によりAir.Ａが吸い込まれ、ファン室１が負圧となるのでバイパス防止板もファン室内部に吸い寄せられ、枠体１１のファンモータ基盤受け枠１１１との接合面は非接着状態でも完全に気密となる。
【００１３】
本実施例１において、ファンモータ基盤１２の側面下部１２２の垂直位置は、ファン室枠体１１のファンモータ基盤受け枠１１１の側面上部1112の垂直位置よりも内側で、図３に示されるように、側面下部１２２と側面上部1112とを覆うバイパス防止板６１の全体の形状はスカート状を呈している。
このバイパス防止板６１はゴムなどの柔軟材質であるので振動の伝達を遮断できるが、稼働の際にはファン室１が常に負圧になり、バイパス防止板６１がファン室１の内部側に吸い寄せられる力が働くので、バイパス防止板６１だけでは内側に湾曲するように変形するので、金属(亜鉛鋼板)等の硬質材料の当て板６３をバイパス防止板６１の中間面６１３の内側に設けてバイパス防止板６１の変形を防止する。また、当て板６３の斜面６３１の高さは、大きな振動があっても、先端がファンモータ基盤１２、例えば、基盤底面１２１に当たって騒音等を生じないように十分な間隔ｘを有するようにしてあり、枠体１１のファンモータ基盤受け枠１１１とバイパス防止板６１との接合面は非接着状態であることと相俟って、振動を遮断する構成としている。
この金属板等の硬質素材の当て板６３は、スカート形状に合うように、斜面６３１がバイパス防止板６１の中間面６１３に面接触するようにファンモータ基盤受け枠１１１の上面1111にボルト６３２や、後述する実施例２に示されるクリップ６３４の固着手段等で固定されている。
なお、ファン室１が稼働時に負圧になり、この負圧によりバイパス防止板６１がファンモータ基盤受け枠１１１の側面上部1112に密着するので、バイパス防止板６１に強度があり、ファン室１の負圧もそれほど大きくなく、バイパス防止板６１だけでも変形しないのであれば、前記当て板６３や保護用パッキンも不要である。
【００１４】
また、バイパス防止板６１の内側と当て板６３の間には、バイパス防止板６１よりはやや硬質ではあるが変形可能な柔軟材料の保護用パッキン６２を当て板６３の斜面６３１に接着剤６２１で固定して介在させている。
この保護用パッキン６２は、当て板６３の斜面６３１の高さを低くして、先端がファンモータ基盤１２の基盤底面１２１に当たらないように間隔ｘを有しているが、この間隔ｘでの大きな負圧によるバイパス防止板６１の変形を防止するように補強したもので、また、バイパス防止板６１と当て板６３との摩耗も防止している。保護パッキン６２自体の高さは、図３に示すように、通常では基盤底面１２１に当たらないように、それよりも保護パッキン６２の上端を若干低くしてある。
なお、保護用パッキン６２は、バイパス防止板６１の変形がほとんど無く、また、摩耗が激しくなければ省略してもよく、この場合でも、当然にバイパス防止板６１とファンモータ基盤１２との接合面は接着固定され、バイパス防止板６１とファン室枠体１１のファンモータ基盤受け枠１１１の側面上部との接合面は接圧するだけで非接着状態とし、振動は遮断する構成とする必要がある。
給気室８の空気ダンパ室８１の天井部１１２はファン室枠体１１でもあるが、空気ダンパ室８１の底面は振動するファンモータ基盤１２であっても、その間には防振部材５が介在しているので、振動が天井部に伝達することはなく、天井部１１２は設置床に対して固定している。したがって、給気室８の給気ダクト８２への振動も遮断される。
なお、ファン室１が稼働時に負圧になり、この負圧によりバイパス防止板６１がファンモータ基盤受け枠１１１の側面上部1112に密着するので、バイパス防止板６１に強度があり、ファン室１の負圧もそれほど大きくない場合で、バイパス防止板６１だけでも変形しないのであれば、前記当て板６３や保護用パッキン６２も不要である。
【００１５】
本発明の実施例１は、以上ような構成であるので、その作用・効果は、ファン室枠体１１の上部のファンモータ基盤１２に、駆動モータ３２とファンユニット４を吊り下げるように取り付けたので、従来のファン架台が不用になり、ファン室の高さをより低くすることが可能となり、本実施例では、約２０〜３０cmも高さを短縮できた。また、ファン室枠体１１とファンモータ基盤１２との外周隙間Ｂに気密部材６としてバイパス防止板６１を設けるようにしたので、従来の気密維持のキャンバスが不要となり、空調機の設置作業が簡略化できた。
また、バイパス防止板６１がゴムなどの柔軟材質であるので振動の伝達を遮断でき、金属等の硬質材料の当て板６３をバイパス防止板の内側に設けたので、ファン室１の負圧によるバイパス防止板６１の変形を防止できる。
また、バイパス防止板６１のファンモータ基盤１２と接合面は接着し、枠体１１のファンモータ基盤受け枠１１１との接合面は非接着状態とし、また、当て板６３の垂直面６３３の高さを、大きな振動があっても、先端がファンモータ基盤１２の基盤底面１２１等に当たって騒音等を生じないように十分な間隔ｘを有するようにしてあり、前記ファンモータ基盤受け枠１１１との接合面は非接着状態であることと相俟って、振動を遮断する構成としている。
さらなる利点として、設置が極めて容易となり、加えて、稼働時にはファン室１が負圧となるのでバイパス防止板６１がファン室１内部に吸い寄せられ、枠体１１との接合面は非接着状態でも完全に気密とすることができる。
【００１６】
更に、バイパス防止板６１と当て板６３との間には保護パッキン６２を介在させたので、この補強パッキン６２は、当て板６３と基盤底面１２１との間隔を大きくしても、この間隔ｘでの負圧によるバイパス防止板６１の変形を防止でき、バイパス防止板６１と当て板６３との摩耗も防止している。
実施例１では、バイパス防止板６１のファンモータ基盤１２と接合面の垂直位置が、枠体１１のファンモータ基盤受け枠１１１との接合面の垂直位置よりも内側に配置したので、常にバイパス防止板６１の下端は、バイパス防止板６１の自重によりファンモータ基盤受け枠１１１とバイパス防止板６１との接合面とが非接着状態でも密着し、ファン室１と給気室８とが完全に気密にした状態となる。
【実施例２】
【００１７】
本発明の別の実施例２は、図４に示すような気密部材６の構成が実施例１と異なるだけで、他は同じ構成であるので気密部材６以外の説明は省略する。
実施例２では、駆動モータ３２とファンユニット４の振動や余り大きくない場合のもので、バイパス防止板６１のファンモータ基盤１２と接合面の垂直位置と、枠体１１（ファンモータ基盤受け枠111）との接合面の垂直位置が同じにしている。  また、実施例１と同様に、当て板６３の垂直面６３３の高さを、大きな振動があっても、先端がファンモータ基盤１２の基盤底面１２１等に当たって騒音等を生じないように十分な間隔ｘを有するようにしてあり、枠体１１のファンモータ基盤受け枠１１１との接合面は非接着状態であることと相俟って、振動を遮断する構成としている。
【００１８】
この実施例２では、ファンモータ基盤１２とバイパス防止板６１とが同一位置であるので、外周に平板のバイパス防止板６１を巻くだけでよく、取り付けが極めて簡単であり、当て板６３のバイパス防止板６１の中間面６１３の接面も、ファンモータ基盤受け枠１１１の上面1111に対して直角の垂直面６３３でよいので、制作も容易であり、実施例２ではファンモータ基盤受け枠１１１への当て板６３の取り付けもクリップ６３４で固着して、取り付け作業を簡単にしている。
【００１９】
ただし、バイパス防止板６１の下端はファン室枠体１１の上面に屈曲して接するように十分長くして、多少の振動でも気密が保たれるようにしている。なお、バイパス防止板６１の上端面６１１はファンモータ基盤１２の側面下部１２２に接着剤１２３で貼り付け、バイパス防止板６１の下端面６１２はファン室枠体１１に設けたファンモータ基盤受け枠１１１の側面上部1112に非接着状態で接触するようにした点は実施例１と同じである。
また、作用・効果も実施例１とバイパス防止板６１の自重によるファンモータ基盤受け枠１１１での接合力がやや弱いだけで、他の作用・効果は同じであり、逆に、実施例１よりも製造や設定が容易である。
なお、本発明の特徴を損うものでなければ、上記の各実施例に限定されるものでないことは勿論である。
【符号の説明】
【００２０】
a・・ファン室、b・・コイル空調室、c・・モータユニット、
d・・ファンユニット、e・・給気室、f・・ファン架台、g・・吸振部材、
ｈ・・防振架台、i・・キャンバス、
Ａ・・空気調和装置、Ｂ・・隙間、ｘ・・間隔、
１・・ファン室、１１・・ファン室枠体、１１１・・ファンモータ基盤受け枠、
1111・・上面、1112・・・側面上部、１１２・・天井部、
１２・・ファンモータ基盤、１２１・・基盤底面、
１２２・・側面下部、１２３・・接着剤、
１３・・給気開口、
３・・モータユニット、３１・・駆動軸、３２・・駆動モータ、
４・・ファンユニット、
５・・防振部材、５１・・バネ、５２・・ゴム、
６・・気密部材、
６１・・バイパス防止板、６１１・・上端面、６１２・・下端面、
６１３・・中間面、
６２・・保護パッキン、６２１・・接着剤、
６３・・当て板、６３１・・斜面、６３２・・ボルト、６３３・・垂直面、
６３４・・クリップ、
７・・コイル空調室、
８・・給気室、８１・・空気ダンパ室、８２・・給気ダクト
【図１】
0005480709.tif 000002
【図２】
0005480709.tif 000003
【図３】
0005480709.tif 000004
【図４】
0005480709.tif 000005
【図５】
0005480709.tif 000006